(57)【要約】【課題】より簡易で低コスト化が図れ、他者の侵入を防ぐことができ、セキュリティの向上に繋がる赤外線リモコンコート゛を利用した電子機器の遠隔制御方法を提供する。【構成】情報送信端末及び情報受信端末がインターネット経由でリアルタイム情報交換サーハ゛に接続し、接続を制御し、リアルタイム情報交換サーハ゛から遠隔制御フ゜ロク゛ラムをタ゛ウンロート゛し、遠隔制御フ゜ロク゛ラムの制御信号・情報受信端末の特定の名称をリアルタイム情報交換サーハ゛を経由して情報受信端末に送信し、赤外線制御信号に交換し、赤外線制御信号を測定して制御信号のＯＮ／ＯＦＦ時間の最小値を記憶し、最小値を基に電子機器に出力し、結果をリアルタイム情報交換サーハ゛を通じて情報送信端末に送信する遠隔制御方法であり、低コスト化が図れる、他者の侵入を防ぎやすい、特定の名称を用いることで、利用者が特定でき、セキュリティを向上できる、設置・設定が容易にでき、汎用性がある等の特徴がある。【選択図】　　図１
2004048720.tif 000002
【特許請求の範囲】
【請求項１】
インターネットを経由してリアルタイム情報交換サーハ゛を通じた赤外線を利用した電子機器の遠隔制御方法であって、
情報受信端末がインターネットを経由してリアルタイム情報交換サーハ゛に接続するステッフ゜と、
情報送信端末がインターネットを経由してリアルタイム情報交換サーハ゛に接続するステッフ゜と、
リアルタイム情報交換サーハ゛が、　情報送信端末及び情報受信端末の接続を制御するステッフ゜と、
確認後、情報送信端末がリアルタイム情報交換サーハ゛から遠隔制御フ゜ロク゛ラムをタ゛ウンロート゛するステッフ゜と、
情報送信端末がタ゛ウンロート゛した遠隔制御フ゜ロク゛ラムによる制御信号及び情報受信端末の特定の名称・ＩＤをリアルタイム情報交換サーハ゛に送信するステッフ゜と、
リアルタイム情報交換サーハ゛が情報送信端末からの制御信号及び情報受信端末の特定の名称・ＩＤを受信し、情報受信端末の特定の名称・ＩＤを基に固有の情報受信端末に制御信号を送信するステッフ゜と、
情報受信端末が制御信号を赤外線リモコン送信機が発する赤外線リモコンコート゛として受信するステッフ゜と
受信時に赤外線リモコンコート゛を記憶し、さらに、該赤外線リモコンコート゛を一定の時間測定して、赤外線リモコンコート゛のＯＮ／ＯＦＦ時間の最小値を記憶するステッフ゜と、
該最小値を基に赤外線リモコンコート゛による制御信号を電子機器に対して出力するステッフ゜と、
情報受信端末から出力された赤外線リモコンコート゛による制御信号に対する電子機器からの応答結果をリアルタイム情報交換サーハ゛を通じて情報送信端末に送信するステッフ゜と、
でなるインターネットを経由してリアルタイム情報交換サーハ゛を通じた赤外線を利用した電子機器の遠隔制御方法。
【請求項２】
インターネットを経由してリアルタイム情報交換サーハ゛を通じた赤外線を利用した電子機器の遠隔制御方法であって、
情報送信端末と情報受信端末又は他の端末と情報受信端末が電話回線により接続されるステッフ゜と、
情報受信端末が情報受信端末内の登録部により受信した電話番号と照合するステッフ゜と、
登録確認後、情報受信端末が電話回線を切断し、切断後、インターネットを経由してリアルタイム情報交換サーハ゛に接続するステッフ゜と、
情報送信端末がインターネットを経由してリアルタイム情報交換サーハ゛に接続するステッフ゜と、
リアルタイム情報交換サーハ゛が、　情報送信端末及び情報受信端末の接続を制御するステッフ゜と、
確認後、情報送信端末がリアルタイム情報交換サーハ゛から遠隔制御フ゜ロク゛ラムをタ゛ウンロート゛するステッフ゜と、
情報送信端末がタ゛ウンロート゛した遠隔制御フ゜ロク゛ラムによる制御信号及び情報受信端末の特定の名称・ＩＤをリアルタイム情報交換サーハ゛に送信するステッフ゜と、
リアルタイム情報交換サーハ゛が情報送信端末からの制御信号及び情報受信端末の特定の名称・ＩＤを受信し、情報受信端末の特定の名称・ＩＤを基に固有の情報受信端末に制御信号を送信するステッフ゜と、
情報受信端末が制御信号を赤外線リモコン送信機が発する赤外線リモコンコート゛として受信するステッフ゜と、
受信時に赤外線リモコンコート゛を記憶し、さらに、該赤外線リモコンコート゛を一定の時間測定して、赤外線リモコンコート゛のＯＮ／ＯＦＦ時間の最小値を記憶するステッフ゜と、
該最小値を基に赤外線リモコンコート゛による制御信号を電子機器に対して出力するステッフ゜と、
情報受信端末から出力された赤外線リモコンコート゛による制御信号に対する電子機器からの応答結果をリアルタイム情報交換サーハ゛を通じて情報送信端末に送信するステッフ゜と、
でなるインターネットを経由してリアルタイム情報交換サーハ゛を通じた赤外線を利用した電子機器の遠隔制御方法。
【発明の詳細な説明】
【０００１】
【発明の属する技術分野】
本発明は、インターネットを経由してリアルタイム情報交換サーハ゛を通じた赤外線を利用した電子機器の遠隔制御方法に関する。
【０００２】
【従来の技術】
今日では、企業において、外出先から携帯電話・ＰＤＡ・ノートハ゜ソコン等を使用して、会社内のハ゜ソコンにアクセスし、テ゛ータの送信・ハ゜ソコン内テ゛ータの読み出し等が可能となっている。また、家庭内においても、外出先から家庭内のハ゜ソコン、照明器具、冷暖房装置、ヒ゛テ゛オテ゛ッキ、テレヒ゛等の電子機器の操作等が可能である。前記の電子機器を通信ケーフ゛ル等で接続してホームネットワークを構築し、ネットワーク内に設けられたホームサーハ゛から動作を制御することが可能なネット家電等が各種提案されている。また、外出先から携帯電話・ＰＤＡ・ノートハ゜ソコン等を使用して前記のホームサーハ゛にアクセスすることにより電子機器を遠隔制御するための技術も散見される。
【０００３】
文献を見てみると、以下のような文献があった。文献（１）は、特開２００１−３５０６８６の「利用者端末の遠隔制御方法ならびにシステム」であり、利用者端末とコンテンツサーハ゛と、コンテンツサーハ゛の誘導を行うナヒ゛ケ゛ータにより利用者端末を制御するカ゛イト゛サーハ゛がインターネットを介して接続され、コンテンツサーハ゛へのナヒ゛ケ゛ーション情報が記述されたフ゜ロク゛ラムシートをカ゛イト゛サーハ゛にアクセスした利用者へ配布し、ナヒ゛ケ゛ータの端末からナヒ゛ケ゛ーションのトリカ゛を与えることで利用者の端末からフ゜ロク゛ラムシートに従ってコンテンツサーハ゛へのアクセスを行う。
【０００４】
また、文献（２）は、特開２００２−１５２８５６の「電子機器の遠隔制御ユニットおよびサーヒ゛ス管理サーハ゛、電子機器の遠隔制御方法」であり、ユーサ゛毎に、ユーサ゛を特定するサーヒ゛スＩＤと、ユーサ゛のために電子機器の遠隔制御を行う遠隔制御ユニットとの通信を行うための通信アト゛レスと、実施可能な電子機器の遠隔制御の種類を示す遠隔制御メニューを対応付けて記憶するテ゛ータヘ゛ースと、ユーサ゛の端末からの通信要求が受信された場合に、ユーサ゛のサーヒ゛スＩＤを端末から受信し、サーヒ゛スＩＤに対応した遠隔制御メニューを端末に送り、端末から所望の遠隔制御の種類を指定する情報を受信された場合には、サーヒ゛スＩＤに対応した通信アト゛レスを用いてその種類を指定する識別情報を、ユーサ゛に対応した遠隔制御ユニットに送る制御手段を具備する。
【０００５】
【発明が解決しようとする課題】
前記のように外出先から遠隔制御できることは非常に有益であるが、実際にサーハ゛管理には専門知識が必要であり、中小企業では管理が難しいこと、守秘義務のないインターネットフ゜ロハ゛イタ゛のＷＷＷサーハ゛が介在する場合が多く、セキュリティの問題があり、ハッカー、クラッカー等の侵入の危険性があること、等の問題がある。また、家庭内で使用する際には上記の問題の他に、ホームサーハ゛の導入には遠隔制御の基となる通信端末や各種電子機器との通信機能を備えていなければならず、非常に費用がかかるため、コスト高となること等の課題がある。
【０００６】
また、文献１は、セキュリティを確保した面で特徴があるが、本発明とは目的・構成等が大きく異なる。文献２は、容易な設定が可能であるが、セキュリティ面でやや不安が残ること、コスト高となること、赤外線の遠隔制御も可能であるが、赤外線信号の容量は少なく、保存できる制御信号も少ないので実用的でないこと等の課題がある。
【０００７】
【課題を解決するための手段】
本発明は、特定の名称・ＩＤを用いることによって、利用者が特定でき、セキュリティの向上に繋がること、他者の侵入を防ぎやすいこと、ＡＤＳＬ・光ファイハ゛ーケーフ゛ル等の常時接続可能なインターネット環境を整備する必要が無く、低コスト化が可能であること、通信ケーフ゛ル等の有線が無いので、設置が容易にでき、設定も簡易であること、汎用性があること、等の特徴がある。
【０００８】
請求項１は、インターネットを経由してリアルタイム情報交換サーハ゛を通じた赤外線を利用した電子機器の遠隔制御方法は、
情報受信端末がインターネットを経由してリアルタイム情報交換サーハ゛に接続するステッフ゜と、
情報送信端末がインターネットを経由してリアルタイム情報交換サーハ゛に接続するステッフ゜とを利用する遠隔制御方法であって、
リアルタイム情報交換サーハ゛が、　情報送信端末及び情報受信端末の接続を制御するステッフ゜と、
確認後、情報送信端末がリアルタイム情報交換サーハ゛から遠隔制御フ゜ロク゛ラムをタ゛ウンロート゛するステッフ゜と、
情報送信端末がタ゛ウンロート゛した遠隔制御フ゜ロク゛ラムによる制御信号及び情報受信端末の特定の名称・ＩＤをリアルタイム情報交換サーハ゛に送信するステッフ゜と、
リアルタイム情報交換サーハ゛が情報送信端末からの制御信号及び情報受信端末の特定の名称・ＩＤを受信し、情報受信端末の特定の名称・ＩＤを基に固有の情報受信端末に制御信号を送信するステッフ゜と、
情報受信端末が制御信号を赤外線リモコン送信機が発する赤外線リモコンコート゛として受信するステッフ゜と
受信時に赤外線リモコンコート゛を記憶し、さらに、該赤外線リモコンコート゛を一定の時間測定して、赤外線リモコンコート゛のＯＮ／ＯＦＦ時間の最小値を記憶するステッフ゜と、
該最小値を基に赤外線リモコンコート゛による制御信号を電子機器に対して出力するステッフ゜と、
情報受信端末から出力された赤外線リモコンコート゛による制御信号に対する電子機器からの応答結果をリアルタイム情報交換サーハ゛を通じて情報送信端末に送信するステッフ゜と、
でなるインターネットを経由してリアルタイム情報交換サーハ゛を通じた赤外線を利用した電子機器の遠隔制御方法である。
【０００９】
本発明は、請求項１に挙げた特徴に加えて、使用時のみの接続であるので接続時のみの課金であり、低コスト化が可能であること、使用時のみの接続であるため、常時インターネット接続をしているわけではなく、他者の侵入を防ぎやすいこと、先に電話をすることによって利用者の特定がより確実になり、セキュリティの一層の向上が図れること、等の特徴がある。
【００１０】
請求項２は、インターネットを経由してリアルタイム情報交換サーハ゛を通じた赤外線を利用した電子機器の遠隔制御方法は、
情報送信端末と情報受信端末又は他の端末と情報受信端末が電話回線により接続されるステッフ゜と、
情報受信端末が情報受信端末内の登録部により受信した電話番号と照合するステッフ゜と、
登録確認後、情報受信端末が電話回線を切断し、切断後、インターネットを経由してリアルタイム情報交換サーハ゛に接続するステッフ゜と、
情報送信端末がインターネットを経由してリアルタイム情報交換サーハ゛に接続するステッフ゜とを利用する遠隔制御方法であって、
リアルタイム情報交換サーハ゛が、　情報送信端末及び情報受信端末の接続を制御するステッフ゜と、
確認後、情報送信端末がリアルタイム情報交換サーハ゛から遠隔制御フ゜ロク゛ラムをタ゛ウンロート゛するステッフ゜と、
情報送信端末がタ゛ウンロート゛した遠隔制御フ゜ロク゛ラムによる制御信号及び情報受信端末の特定の名称・ＩＤをリアルタイム情報交換サーハ゛に送信するステッフ゜と、
リアルタイム情報交換サーハ゛が情報送信端末からの制御信号及び情報受信端末の特定の名称・ＩＤを受信し、情報受信端末の特定の名称・ＩＤを基に固有の情報受信端末に制御信号を送信するステッフ゜と、
情報受信端末が制御信号を赤外線リモコン送信機が発する赤外線リモコンコート゛として受信するステッフ゜と
受信時に赤外線リモコンコート゛を記憶し、さらに、該赤外線リモコンコート゛を一定の時間測定して、赤外線リモコンコート゛のＯＮ／ＯＦＦ時間の最小値を記憶するステッフ゜と、
該最小値を基に赤外線リモコンコート゛による制御信号を電子機器に対して出力するステッフ゜と、
情報受信端末から出力された赤外線リモコンコート゛による制御信号に対する電子機器からの応答結果をリアルタイム情報交換サーハ゛を通じて情報送信端末に送信するステッフ゜と、
でなるインターネットを経由してリアルタイム情報交換サーハ゛を通じた赤外線を利用した電子機器の遠隔制御方法である。
【００１１】
【発明の実施の形態】
インターネット上にリアルタイム情報交換サーハ゛を設置して、情報受信端末のインターネットアト゛レス、またはインターネットアト゛レス経由イントラネットアト゛レスの接続を特定の名称・ＩＤ（会社の名前・クライアント名・固有名詞等であり、英数字、記号、漢字等は問わない。）で記憶して、情報送信端末のインターネットアト゛レス、またはインターネットアト゛レス経由イントラネットアト゛レスの接続を行い、情報送信端末がリアルタイム情報交換サーハ゛を通じて送り出す制御信号に対して、情報受信端末がその制御信号の指令に基づいた指令を各電子機器に出力し、各電子機器はその指令を処理し、その処理結果を情報受信端末からリアルタイム情報交換サーハ゛を通じて情報送信端末に送信する。
【００１２】
情報受信端末は制御コマント゛を出力する際に赤外線信号を使用するが、その赤外線信号は、一定の測定を行い、その中での最小値を記憶して、その最小値を基に出力されるものであるので、出力部に多くの容量で赤外線信号を記憶できる。
情報受信端末は接続の際、特定の名称・ＩＤで接続することによって、情報送信端末及び情報受信端末間の接続も容易となり、セキュリティの確保ができる。
【００１３】
【実施例】
本発明の一実施例を図面を基に説明する。
【００１４】
図１は本願発明の一実施形態にかかるフ゛ロック図である。同図に示すように本願発明は、情報送信端末１と、情報受信端末２と、リアルタイム情報交換サーハ゛３と、ルータ４と、インターネットＺを有する。
【００１５】
図１及び図２〜図６のフローチャートを基に本願発明の流れを説明する。リアルタイム情報交換サーハ゛３は、情報送信端末１及び情報受信端末２からの接続を待機している状態である（図４の１．）。
【００１６】
まず、情報受信端末２から、リアルタイム情報交換サーハ゛３に対して接続を要求する（図４の２．）。その際、情報受信端末２は、情報受信端末２が独自に決めたＩＤ・会社の名前・クライアント名・固有名詞等の情報受信端末２毎により異なる特定の名称（以下、特定の名称とする。）において接続要求を行い、接続する（図３の１．）。この際、情報受信端末２の特定の名称はリアルタイム情報交換サーハ゛３に自動的に登録される。この特定の名称は特に限定されるものではなく、毎回変更することも可能である。リアルタイム情報交換サーハ゛３は、この情報受信端末２の特定の名称によって、情報受信端末２を特定することができる。
【００１７】
通常、インターネットＺ接続の場合、接続するフ゜ロハ゛イタ゛毎でＩＰアト゛レスが変更されることが多く、その際、ＩＰアト゛レス情報だけでは情報受信端末２を特定することが難しいため、特定の名称を接続情報としてリアルタイム情報交換サーハ゛３に登録しておくことで、　フ゜ロハ゛イタ゛毎又は接続毎に変化するＩＰアト゛レスの変更にも対応することができる。
【００１８】
また、情報受信端末２がリアルタイム情報交換サーハ゛３に接続を要求するのと同様に、情報送信端末１はリアルタイム情報交換サーハ゛３に接続を要求する（図２の１．）。そこで、リアルタイム情報交換サーハ゛３は情報送信端末１からの接続の要求を受けて（図４の２．）、どの情報送信端末１からの接続の要求であるか等をチェックし、確認する（図２の２．及び図４の３．）。確認後、リアルタイム情報交換サーハ゛３は、電子機器の遠隔制御フ゜ロク゛ラムのタ゛ウンロート゛を情報送信端末１に行う（図２の３．）。遠隔制御フ゜ロク゛ラムのタ゛ウンロート゛完了後、情報送信端末１は、タ゛ウンロート゛した電子機器の遠隔制御フ゜ロク゛ラムを情報送信端末１の画面上に開いて制御コマント゛入力を行う（図２の４．）。情報送信端末１の制御コマント゛入力中は、リアルタイム情報交換サーハ゛３は情報送信端末１からの制御コマント゛の送信待ちである（図４の４．）。
【００１９】
制御コマント゛入力は、例えば、図７のような画面を操作し、各制御コマント゛入力を行う。電子機器の遠隔制御は、例えば、監視カメラの制御（ス゛ームイン・ス゛ームアウト・レンス゛の向きの変更等）、照明の制御（照明のＯＮ・ＯＦＦ、明るさの調整、タイマーのセット等）、ハ゜ソコンの制御（必要なファイルの呼出し、ファイルの送受信、転送、ハ゜ソコンソフトの起動等）、テレヒ゛の制御（電源のＯＮ・ＯＦＦ、タイマーのセット、チャンネルの切替え、音量の調節等）、ヒ゛テ゛オテ゛ッキの制御（タイマー録画の設定、録画・早送り・巻戻し等）等が考えられるが、一例であり限定されない。なお、図７の操作ホ゛タンは一例であり、特に限定されない。携帯電話の場合は、画面の操作を数字ホ゛タンで行うことも可能であるし（図８参照）、ＰＤＡ等の場合は直接画面に触れることで、入力も可能である。
【００２０】
情報送信端末１によって入力された遠隔制御コマント゛は、遠隔制御信号として、リアルタイム情報交換サーハ゛３に送信される（図２の５．）。送信された遠隔制御信号は、リアルタイム情報交換サーハ゛３から情報受信端末２に送信される（図４の５．）。情報受信端末２は、リアルタイム情報交換サーハ゛３からの制御信号の受信を待機する（図３の２．）。ここで、情報送信端末１から遠隔制御信号を送信する際には、情報受信端末２を特定するために、情報受信端末２の特定の名称とともに送信をする。
【００２１】
遠隔制御信号及び情報受信端末２の特定の名称を受け取ったリアルタイム情報交換サーハ゛３は、リアルタイム情報交換サーハ゛３内の登録部に登録されている情報受信端末２の特定の名称の中から、該当する情報受信端末２を検索する。検索により、情報送信端末１から送信された情報受信端末２の特定の名称と、リアルタイム情報交換サーハ゛３に登録された情報受信端末２の特定の名称が一致した場合、該当する特定の名称を有する情報受信端末２に、情報送信端末１から送信された遠隔制御信号を送信する。なお、特定の名称を検索した結果、該当する特定の名称が存在しなかった場合、情報送信端末１へ該当する情報受信端末２の特定の名称は存在しなかったことを送信する。
【００２２】
情報受信端末２はリアルタイム情報交換サーハ゛３から送信された遠隔制御信号を受信すると、その遠隔制御信号を情報受信端末２内にある記憶部（図示せず）により、赤外線リモコン送信機が発する赤外線リモコンコート゛として受信し記憶する。また、赤外線リモコンコート゛として受信する際に、情報受信端末２は赤外線リモコンコート゛を一定の時間測定する。測定内容は赤外線リモコンコート゛のＯＮ時間・ＯＦＦ時間を測定することであり、このＯＮ時間・ＯＦＦ時間の最小値を測定し、記憶する。例えば、ＯＮ時間が１０ｕｓｅｃ、ＯＦＦ時間が１０ｕｓｅｃ、ＯＮ時間が１０ｕｓｅｃ、ＯＦＦ時間が２０ｕｓｅｃ、ＯＮ時間が１０ｕｓｅｃ、ＯＦＦ時間が１０ｕｓｅｃが１サイクルだった場合、そのサイクルを最小値として記憶する。次に、前記の測定により検出された最小値でＮ回までのＯＮ時間・ＯＦＦ時間を作成し、この作成した値を再生用（出力用）の値としてＮ回までを記憶する。出力する際は、前記の測定により記憶された最小値を基本として出力部（図示せず）から赤外線リモコンコート゛による制御信号を電子機器に対して出力する。
【００２３】
なお、今までの赤外線リモコンは、赤外線搬送波３８〜４０ＫＨｚで変調されたリモコン制御コート゛を赤外線受光素子で受信して、その制御コート゛のＯＮ時間・ＯＦＦ時間を短い時間の間隔（１００ｕｓｅｃ）で測定し、１回目のＯＮ時間、ＯＦＦ時間の記憶からＮ回までのＯＮ時間・ＯＦＦ時間を記憶して、１回目の時間からＮ回までの時間をそのまま赤外線送信部から出力していた。しかし、この方法では１回目のＯＮ時間・ＯＦＦ時間からＮ回までのＯＮ時間・ＯＦＦ時間までをすべて出力しており、情報が大きくなり、非常に容量を取っていた。しかし、本発明は、前記のように、ＯＮ時間・ＯＦＦ時間を測定して、このＯＮ時間・ＯＦＦ時間の最小値を測定して記憶し、測定により検出された最小値でＮ回までのＯＮ時間・ＯＦＦ時間を作成し、この作成した値を出力することで、少ない容量で赤外線を送信することが可能である。
【００２４】
情報受信端末２の出力部から出力された赤外線リモコンコート゛による制御信号は、各電子機器に入力され、各電子機器は制御信号の制御指令に従った制御を行う。例えば、図１のカメラ５の場合は、カメラの向きの設定・ヒ゜ントの調節・フラッシュの有無・撮影による画像の取得・取得画像の送信・カメラに不審な映像が撮影された際の警報装置の発令・警備会社への通報等の設定が可能である。また、ハ゜ソコン６の場合は、電源のＯＮ又はＯＦＦ・必要なテ゛ータの転送、送受信・ハ゜ソコンソフトの起動・入力等の制御が可能である。
【００２５】
例えば、カメラの向きを変更するという制御内容であった場合、カメラを指定方向に変更し終えると、カメラの向きを変更したという処理結果を情報受信端末２はリアルタイム情報交換サーハ゛３に送信する。
【００２６】
また、制御機器の故障（前記の場合はカメラの故障等）・送受信の不具合等により制御内容を処理できなかった場合、未処理結果を情報受信端末２はリアルタイム情報交換サーハ゛３に送信する。未処理の場合には、例えば、「エラー００１：カメラとの通信ができませんでした。」等の未処理結果を送信する。また、制御機器がハ゜ソコン等の場合、「管理会社に連絡してください。」等の未処理結果の表示及び送信も可能である。
【００２７】
なお、制御内容が照明機器の点灯や消灯、エアコンによる室温調整、除湿等の場合は、別途、明暗に対するセンサーや気温・湿度に対するセンサーを情報受信端末２に取り付けること、情報受信端末２とは別にセンサーを取り付け接続することによって、処理結果を情報受信端末２からリアルタイム情報交換サーハ゛３に送信することも可能である。
【００２８】
情報受信端末２は、制御信号を出力部により電子機器に対して出力した後、電子機器の制御信号処理が送信されるまで待機する（図３の３．）。なお、電子機器の処理の一例は前記のような制御内容である。電子機器から送信されてきた電子機器の処理結果をリアルタイム情報交換サーハ゛３に送信する（図３の４．）。
【００２９】
リアルタイム情報交換サーハ゛３は、情報受信端末２から送信されてくる処理結果が送信されるまで待機し（図４の６．）、処理結果が送信されたら、情報受信端末２から送信された処理結果を情報送信端末１に送信して（図４の７．）、リアルタイム情報交換サーハ゛３は情報送信端末１の次の制御信号を受信するまで待機する（図４の８．）。情報送信端末１は、情報受信端末２の処理結果がリアルタイム情報交換サーハ゛３から送信されるのを待機し（図２の６．）、リアルタイム情報交換サーハ゛３から送信された結果を受信して（図２の７．）、一連の動作は完了する。また、リアルタイム情報交換サーハ゛３は、情報受信端末２の接続を情報受信端末２の特定の名称でいつでも受信可能なように接続を維持する（図４の９．）。
【００３０】
なお、情報受信端末２の接続状態の管理は、一定の期間で常にチェックされており、接続状況がリアルタイムでわかるようになっている。切断する際は、情報送信端末１から切断するという指令を制御信号によって出すことで切断可能である。又は一定時間経過すると、自動的に切断する設定にしてもよい。
【００３１】
また、情報受信端末２に一度、電話回線を通じて接続し、その後に情報受信端末２がリアルタイム情報交換サーハ゛３に接続し、また、　情報送信端末１がリアルタイム情報交換サーハ゛３に接続を要求する場合について説明する。
【００３２】
まず、情報送信端末１は情報受信端末２に電話回線を使用して情報送信端末１の電話番号を通知し、電話する（図５の１．）。なお、情報送信端末１は図１にあるように、携帯電話・ＰＨＳ（Ｐｅｒｓｏｎａｌ　Ｈａｎｄｙ　Ｐｈｏｎｅ）・ＰＤＡ（Ｐｅｒｓｏｎａｌ　Ｄｉｇｉｔａｌ　Ａｓｓｉｓｔａｎｔ）等の電話回線が使用可能なものであれば、特に限定されない。また、固定電話等でも番号通知が可能であればよく、情報受信端末２に登録されていれば問題ないが、今回は情報送信端末１から電話で接続する場合について説明する。
【００３３】
電話回線により情報送信端末１と情報受信端末２が接続されると、情報受信端末２は通知された番号を基に、情報受信端末２内の登録部（図示せず）により該当する番号が登録されているかどうか照合する（図５の２．及び図６の１．）。当然、この際に番号通知は必要であり、番号非通知の場合は、登録部による電話番号の照合が不可能なため、リアルタイム情報交換サーハ゛３への接続は不可能である。また、登録されていない場合は、リアルタイム情報交換サーハ゛３に接続することなく、切断して終了する。登録されている場合、情報送信端末１又は情報受信端末２により電話が切断される（図５の３．）。
【００３４】
電話の切断後、自動的に情報受信端末２からリアルタイム情報交換サーハ゛３に対して接続を要求する。また、情報送信端末１からもリアルタイム情報交換サーハ゛３に接続を要求する。その後は前記と同様に進行していき、電子機器の制御が可能となる。
【００３５】
また、リアルタイム情報交換サーハ゛３がインターネットＺ上にあるので、中小企業及び家庭でのサーハ゛の管理が不要であり、専門知識も不要なため、汎用性が高く、管理・設定が容易なため、中小企業や一般家庭での使用も可能である。また、セキュリティ面でもリアルタイム情報交換サーハ゛３を専門的に管理することが可能であり、専門的に管理することによって、ハッキンク゛、クラッキンク゛等の防止力も非常に高く、ウイルスによる被害も抑えることができる。また、中小企業及び家庭での端末同士でも接続可能であり、複数のイントラネットアト゛レスへの接続も可能である。つまり、外出先においても、会社内・家庭内と同様に情報送信端末１及び情報受信端末２を利用して、電子機器の遠隔制御が可能である。
【００３６】
【発明の効果】
本発明のインターネットを経由してリアルタイム情報交換サーハ゛を通じた赤外線を利用した電子機器の遠隔制御方法は、　情報受信端末がインターネットを経由してリアルタイム情報交換サーハ゛に接続するステッフ゜と、情報送信端末がインターネットを経由してリアルタイム情報交換サーハ゛に接続するステッフ゜とを利用する遠隔制御方法であって、リアルタイム情報交換サーハ゛が、情報送信端末及び情報受信端末の接続を制御するステッフ゜と、確認後、情報送信端末がリアルタイム情報交換サーハ゛から遠隔制御フ゜ロク゛ラムをタ゛ウンロート゛するステッフ゜と、情報送信端末がタ゛ウンロート゛した遠隔制御フ゜ロク゛ラムによる制御信号及び情報受信端末の特定の名称・ＩＤをリアルタイム情報交換サーハ゛に送信するステッフ゜と、リアルタイム情報交換サーハ゛が情報送信端末からの制御信号及び情報受信端末の特定の名称・ＩＤを受信し、情報受信端末の特定の名称・ＩＤを基に固有の情報受信端末に制御信号を送信するステッフ゜と、情報受信端末が制御信号を赤外線リモコン送信機が発する赤外線リモコンコート゛として受信するステッフ゜と、受信時に赤外線リモコンコート゛を記憶し、さらに、該赤外線リモコンコート゛を一定の時間測定して、赤外線リモコンコート゛のＯＮ／ＯＦＦ時間の最小値を記憶するステッフ゜と、該最小値を基に赤外線リモコンコート゛による制御信号を電子機器に対して出力するステッフ゜と、情報受信端末から出力された赤外線リモコンコート゛による制御信号に対する電子機器からの応答結果をリアルタイム情報交換サーハ゛を通じて情報送信端末に送信するステッフ゜と、でなるインターネットを経由してリアルタイム情報交換サーハ゛を通じた赤外線を利用した電子機器の遠隔制御方法であり、ＡＤＳＬ・光ファイハ゛ーケーフ゛ル等の常時接続可能なインターネット環境を整備する必要が無く、低コスト化が可能であること、また、特定の名称・ＩＤを用いることによって、利用者が特定でき、セキュリティの向上に繋がること、他者の侵入を防ぎやすいこと、通信ケーフ゛ル等の有線が無いので、設置が容易にでき、設定も簡易であること、汎用性があること、等の特徴がある。
【００３７】
本発明のインターネットを経由してリアルタイム情報交換サーハ゛を通じた赤外線を利用した電子機器の遠隔制御方法は、情報送信端末と情報受信端末又は他の端末と情報受信端末が電話回線により接続されるステッフ゜と、情報受信端末が情報受信端末内の登録部により受信した電話番号と照合するステッフ゜と、登録確認後、情報受信端末が電話回線を切断し、切断後、インターネットを経由してリアルタイム情報交換サーハ゛に接続するステッフ゜と、情報送信端末がインターネットを経由してリアルタイム情報交換サーハ゛に接続するステッフ゜とを利用する遠隔制御方法であって、リアルタイム情報交換サーハ゛が、情報送信端末及び情報受信端末の接続を制御するステッフ゜と、確認後、情報送信端末がリアルタイム情報交換サーハ゛から遠隔制御フ゜ロク゛ラムをタ゛ウンロート゛するステッフ゜と、情報送信端末がタ゛ウンロート゛した遠隔制御フ゜ロク゛ラムによる制御信号及び情報受信端末の特定の名称・ＩＤをリアルタイム情報交換サーハ゛に送信するステッフ゜と、　リアルタイム情報交換サーハ゛が情報送信端末からの制御信号及び情報受信端末の特定の名称・ＩＤを受信し、　情報受信端末の特定の名称・ＩＤを基に固有の情報受信端末に制御信号を送信するステッフ゜と、情報受信端末が制御信号を赤外線リモコン送信機が発する赤外線リモコンコート゛として受信するステッフ゜と、受信時に赤外線リモコンコート゛を記憶し、さらに、該赤外線リモコンコート゛を一定の時間測定して、　赤外線リモコンコート゛のＯＮ／ＯＦＦ時間の最小値を記憶するステッフ゜と、該最小値を基に赤外線リモコンコート゛による制御信号を電子機器に対して出力するステッフ゜と、情報受信端末から出力された赤外線リモコンコート゛による制御信号に対する電子機器からの応答結果をリアルタイム情報交換サーハ゛を通じて情報送信端末に送信するステッフ゜と、でなるインターネットを経由してリアルタイム情報交換サーハ゛を通じた赤外線を利用した電子機器の遠隔制御方法であり、請求項１に挙げた特徴に加えて、接続時のみの課金であり、低コスト化が可能であること、常時インターネット接続をしているわけではなく、他者の侵入を防ぎやすいこと、先に電話をすることによって利用者の特定がより確実になり、セキュリティの一層の向上が図れること、等の特徴がある。
【図面の簡単な説明】
【図１】本発明の一実施例を表す図である。
【図２】本発明の一実施例を表すフローチャートである。
【図３】本発明の一実施例を表すフローチャートである。
【図４】本発明の一実施例を表すフローチャートである。
【図５】本発明の一実施例を表すフローチャートである。
【図６】本発明の一実施例を表すフローチャートである。
【図７】情報送信端末の画面の一例を表す図である。
【図８】情報送信端末の画面の他の一例を表す図である。
【符号の説明】
１　　　　　情報要求側クライアント
２　　　　　情報提供側クライアント
３　　　　　リアルタイム情報交換サーハ゛
４　　　　　ルータ
５　　　　　カメラ
６　　　　　ハ゜ソコン
Ｚ　　　　　インターネット
【図１】
2004048720.tif 000003
【図２】
2004048720.tif 000004
【図３】
2004048720.tif 000005
【図４】
2004048720.tif 000006
【図５】
2004048720.tif 000007
【図６】
2004048720.tif 000008
【図７】
2004048720.tif 000009
【図８】
2004048720.tif 000010